(57)【要約】ディスペンサーであって、外壁を有するボトル；ボトル内のガスケット；ボトル内で上側キャビティおよび下側キャビティを定め、前記下側キャビティから前記上側キャビティを実質的にシールするように構成されている、ガスケット；流体ディスペンス機構であって、ディスペンス機構が作動するときに、流体が前記下側キャビティからボトルの外側に分注されることができるように構成されている、流体ディスペンス機構；前記ガスケットは、ディスペンス機構が作動すると下側キャビティの方へ動くことができる、および前記下側キャビティに流体が入る結果として上側キャビティの方へ動くことができる；流体リフィル機構であって、前記リフィル機構が流体源に流体接続されたときに、流体が前記下側キャビティに入ることができるように構成されている、流体リフィル機構、を備える。【選択図】図２ｂ
2017515758.tif 000002
【特許請求の範囲】
【請求項１】
ディスペンサーであって、
外壁を有するボトル；
ボトル内のガスケット；ボトル内で上側キャビティおよび下側キャビティを定め、前記下側キャビティから前記上側キャビティを実質的にシールするように構成されている、ガスケット；
流体ディスペンス機構であって、ディスペンス機構が作動するときに、流体が前記下側キャビティからボトルの外側に分注されることができるように構成されている、流体ディスペンス機構；
前記ガスケットは、ディスペンス機構が作動すると下側キャビティの方へ動くことができる、および前記下側キャビティに流体が入る結果として上側キャビティの方へ動くことができる；
流体リフィル機構であって、前記リフィル機構が流体源に流体接続されたときに、流体が前記下側キャビティに入ることができるように構成されている、流体リフィル機構、
を備えるディスペンサー。
【請求項２】
請求項１のリフィル可能なディスペンサーであって、ディスペンス機構は、ガスケットを通って下側キャビティまで延びる、リフィル可能なディスペンサー。
【請求項３】
請求項２のリフィル可能なディスペンサーであって、ディスペンス機構は、下側キャビティに延びる管を備える、リフィル可能なディスペンサー。
【請求項４】
請求項３のリフィル可能なディスペンサーであって、下側キャビティは、流体が下側キャビティに入ることができるフロアを備え、管は、フロアから０．５ｍｍ未満まで延びる、リフィル可能なディスペンサー。
【請求項５】
請求項５のリフィル可能なディスペンサーであって、管は、フロアから０．２‐０．３ｍｍまで延びる、リフィル可能なディスペンサー。
【請求項６】
請求項１〜５のいずれか１項のリフィル可能なディスペンサーであって、リフィル機構は、チェックバルブを備える、リフィル可能なディスペンサー。
【請求項７】
請求項６のリフィル可能なディスペンサーであって、リフィル機構を含んでいるリフィルチャンバをさらに備え、ディスペンサーは、リフィルチャンバが下側キャビティと流体連通できるように、および、リフィル機構が作動するときに、リフィル機構がリフィルチャンバの内側に本質的に完全にとどまることができるように、構成されている、リフィル可能なディスペンサー。
【請求項８】
請求項１〜５のいずれか１項のリフィル可能なディスペンサーであって、上側キャビティは、ルーフを備え、ディスペンス機構の作動によってガスケットがルーフに接触できる、リフィル可能なディスペンサー。
【請求項９】
請求項３のディスペンサーであって、ガスケットは、管上におよびボトルに封止的にスリーブされる、ディスペンサー。
【請求項１０】
請求項１〜７のいずれか１項のリフィル可能なディスペンサーであって、リフィル機構がシートを有することを特徴とし、前記シートは、下側キャビティのシールされたクロージャの安定状態と、リフィル可能でないディスペンサーを前記下側キャビティと連通するようにする応力状態と、の間で移動可能および／または変形可能である、リフィル可能なディスペンサー。
【請求項１１】
請求項１〜７のいずれか１項のディスペンサーであって、分注された流体を空気で埋め合わせるように配置された通気孔をさらに備える、ディスペンサー。
【請求項１２】
請求項１１のディスペンサーであって、通気孔は、上側キャビティからボトルの外側に延びる、ディスペンサー。
【請求項１３】
請求項１１のディスペンサーであって、通気孔は、ディスペンス機構とボトルとの間に間隙を備える、ディスペンサー。
【請求項１４】
請求項１〜７のいずれか１項のリフィル可能なディスペンサーと、少なくとも１つのアダプタと、を備えるキットであって、アダプタは、リフィル可能でないディスペンサーをリフィル可能なディスペンサーのリフィル機構と封止的におよび流体的に接続できるように、それぞれ構成されている、キット。
【請求項１５】
請求項１〜７のいずれか１項のリフィル可能なディスペンサーと、粘性組成物のリフィル可能でないディスペンサーと、を備えるキットであって、リフィル可能なディスペンサーとリフィル可能でないディスペンサーとは封止的におよび流体的に接続可能である、キット。
【請求項１６】
請求項１４のキットであって、リフィル可能でないディスペンサーは、リフィル可能なディスペンサーに流体接続可能である手動ディスペンスポンプを備え、リフィル可能なディスペンサーは、繰り返しポンプを押すことによって充填されることができる、キット。
【請求項１７】
請求項１５のキットであって、リフィル可能でないディスペンサーは、リフィル可能なディスペンサーに流体接続可能である手動ディスペンスポンプを備え、リフィル可能なディスペンサーは、繰り返しポンプを押すことによって充填されることができる、キット。
【請求項１８】
請求項１４のキットであって、リフィル可能でないディスペンサーは、リフィル可能なディスペンサーよりも実質的に大きい、キット。
【請求項１９】
請求項１５のキットであって、リフィル可能でないディスペンサーは、リフィル可能なディスペンサーよりも実質的に大きい、キット。
【発明の詳細な説明】
【技術分野】
【０００１】
本発明は、小型で簡単に持ち運べてリフィル可能な、クリームなどの液体のディスペンサーに関する。
【背景技術】
【０００２】
市販のクリームディスペンスボトルは、再利用できない。その上、それらは、不測の落下などの機械的酷使に持ちこたえるように通常堅くて厚いプラスチックで作られ、従って重大な環境ライアビリティである。
【０００３】
特許文献１は、香水などの液体を繰り返し受け入れて分注するリフィルボトルを記載している。リフィルボトルは、下部および上部を有するボトルと、上部に設けられた開口であって、その開口は覆われるように適合された開口と、下部に設けられたリフィル機構と、を備える。液体は、好ましくはスプレー機構が設けられた標準的なボトルからリフィル機構を通じて受け取られ、開口を通じて分注される。
【０００４】
特許文献１に記載されているリフィルボトルは、ペースト、クリームおよび液体石鹸などの、粘性物質に適さない。例えば、クリームは、ボトルのディスペンス手段が届かないディスペンサー内部の領域に大量に積もるかもしれない。
【０００５】
Ｒａｍｅｔらの特許文献２は、液体を包装および分注するアセンブリを記載し、それは、液体の量を含む容器と、容器に分離可能に配置されたリフィル可能なユニットと、を含む。リフィル可能なユニットは、本体とピストンとを含み、ピストンは、本体に対して移動可能であり、それと協働し、液体を含んでいる可変容積の貯蔵チャンバを定める。貯蔵チャンバは、そこから充填される容器と、リフィル可能なユニットが容器に配置されたときに、流体連通する。リフィル可能なユニットは、ポンプも含み、ポンプは、容器から、ユニットがそれに配置されたときに、液体を取り出すように、および、貯蔵チャンバから、リフィル可能なユニットが容器から切り離されたときに、液体を取り出すように、配置される。ポンプは、貯蔵チャンバとは異なるポンプチャンバを含む。
【０００６】
Ｒａｍｅｔらのリフィル可能なユニットでは、組成物は、ピストンの位置の変化の結果として貯蔵チャンバに入ることができるだけである。リフィル可能なユニットのリフィル中に、容器に対するリフィル可能なユニットの動きは、ピストンに対するリフィル可能なユニットの移動を引き起こす働きをし、ピストンは本質的に位置が変わらない。
【０００７】
Ｒａｍｅｔらによって記載された構造は、貯蔵チャンバへ粘性組成物が入る結果としてのみ動くことができるガスケットを備えていない。構造は、従って、片方の手でリフィル可能なユニットをつかみ、もう片方の手でリフィル可能なユニットを引くことを、必要とする。そのような動作は、直観に反し、リフィル可能なユニットと容器との慎重な結合を必要とし、両手でかなりの力を使う。かなりの力は、特にリフィル可能なユニットが非常に小さい場合に、過剰であり、永久的な損傷を引き起こすかもしれない。
【０００８】
その上、容器は、容器の内側からその外側にディスペンスステムが延びる本質的に平らな頂部を含む、標準的なクリームボトルではない、すなわち、Ｒａｍｅｔらの容器は、固定部を含めて特別に作られる必要があり、リフィル可能なユニットが容器から引き離されるときに、それがガスケットを留めてそれを滴所に保持することができるようになっている必要がある。
【０００９】
Ｄｏｎｇｇｕａｎ  Ｙｉｘｉｎ  Ｍａｇｎｅｔｉｃ  Ｄｉｓｃ  ｃｏ．らの特許文献３は、粘性組成物用のリフィル可能なディスペンサーを記載し、それは、
上側キャビティおよび下側キャビティを定める壁を有するボトル；
粘性組成物リフィル機構であって、前記のリフィル機構が粘性組成物源に流体結合したときに、粘性組成物が前記の上側キャビティに入ることができるように構成されている、粘性組成物リフィル機構；
粘性組成物ディスペンス機構であって、ディスペンス機構が作動するときに、粘性組成物が前記の上側キャビティから分注されることができるように構成されている、粘性組成物ディスペンス機構；
前記の下側キャビティから前記の上側キャビティを実質的にシールするように構成されているガスケット、
を含み、
前記のガスケットは、ディスペンス機構が作動すると上側キャビティの方へ動くことができる、および
前記のリフィル機構を通って前記の上側キャビティに粘性組成物が入ると下側キャビティの方へ動くことができる。
【００１０】
ディスペンサーに関する潜在的な問題は、ディスペンス機構である。機構は、典型的に上側キャビティに突き出る。従って、上側キャビティは、限定され、突き出た機構の近くに大きなデッドボリュームがあるかもしれず、突き出た機構の近くでは、多量の粘性流体が閉じ込められ、それは使われず最終的に使用には不適当になる。デッドボリュームを最小限にするために、ガスケットは、上側キャビティの上部と、およびディスペンス機構の突き出た部分と、適合するように、特別に設計され得る。しかしながら、そのような効果的な設計は、実現するのが容易ではない。
【先行技術文献】
【特許文献】
【００１１】
【特許文献１】国際公開第ＷＯ２００５／１０１９６９号
【特許文献２】米国特許第７６６５６３５号
【特許文献３】国際公開第ＷＯ２０１３／０１４６２６号
【発明の概要】
【発明が解決しようとする課題】
【００１２】
１つの目的は、リフィル可能である簡単で効果的なクリームボトルを提供することである。別の目的は、ボトルから本質的に分注できる少量でリフィルできるようにするそのようなボトルを構成することである。別の目的は、ボトルにあるクリームを、ディスペンス機構を操作することによって本質的に完全に空にすることができるように、ボトルを構成することである。
【００１３】
さらに別の目的は、標準的な（通常リフィル可能でない）リザーバと、より小さくて簡単に持ち運べるクリームリフィルボトルであって、簡単にリフィル可能でリザーバと適合するクリームリフィルボトルと、を含むキットを提供することである。
【課題を解決するための手段】
【００１４】
請求項において、「備える（ｃｏｍｐｒｉｓｅ）」という単語、および「備える（ｃｏｍｐｒｉｓｅｓ）」、「備えている（ｃｏｍｐｒｉｓｉｎｇ）」などのその変形および同類のものは、記載されている部品が含まれるが、一般に他の部品の排除に至らないことを示す。
【００１５】
「クリーム」という用語は、化粧クリームおよびローション、コロンおよび香水、シャンプー、コンディショナー、洗剤、セラム、ゼリー等の、個人的用途の液体という意味に広く受け取られるべきである。
【００１６】
一態様によると、ディスペンサーが提供され、そのディスペンサーは、
外壁を有するボトル；
ボトル内のガスケット；ボトル内で上側キャビティおよび下側キャビティを定め、前記の下側キャビティから前記の上側キャビティを実質的にシールするように構成されている、ガスケット；
流体ディスペンス機構であって、ディスペンス機構が作動するときに、流体が前記の下側キャビティからボトルの外側に分注されることができるように構成されている、流体ディスペンス機構；
前記のガスケットは、ディスペンス機構が作動すると下側キャビティの方へ動くことができる、および前記の下側キャビティに流体が入る結果として上側キャビティの方へ動くことができる；
流体リフィル機構であって、前記のリフィル機構が流体源に流体接続されたときに、流体が前記の下側キャビティに入ることができるように構成されている、流体リフィル機構、
を備える。
【００１７】
ある実施形態では、ディスペンス機構は、ガスケットを通って下側キャビティまで延びる。
【００１８】
ある実施形態では、ディスペンス機構は、下側キャビティに延びる管を備える。
【００１９】
ある実施形態では、下側キャビティは、流体が下側キャビティに入ることができるフロアを備え、管は、フロアから０．５ｍｍ未満まで延びる。
【００２０】
ある実施形態では、管は、フロアから０．２‐０．３ｍｍまで延びる。
【００２１】
ある実施形態では、リフィル機構は、チェックバルブを備える。
【００２２】
ある実施形態は、リフィル機構を含んでいるリフィルチャンバをさらに備え、ディスペンサーは、リフィルチャンバが下側キャビティと流体連通できるように、および、リフィル機構が作動するときに、リフィル機構がリフィルチャンバの内側に本質的に完全にとどまることができるように、構成されている。
【００２３】
ある実施形態では、上側キャビティは、ルーフを備え、ディスペンス機構の作動によってガスケットがルーフに接触できる。
【００２４】
ある実施形態では、ガスケットは、管上におよびボトルに封止的にスリーブされる。
【００２５】
ある実施形態は、リフィル機構がシートを有することを特徴とし、シートは、下側キャビティのシールされたクロージャの安定状態と、リフィル可能でないディスペンサーを前記の下側キャビティと連通するようにする応力状態と、の間で移動可能および／または変形可能である。
【００２６】
ある実施形態は、分注された流体を空気で埋め合わせるように配置された通気孔をさらに備える。
【００２７】
ある実施形態では、通気孔は、上側キャビティからボトルの外側に延びる。
【００２８】
ある実施形態では、通気孔は、ディスペンス機構とボトルとの間に間隙を備える。
【００２９】
別の態様によると、上記のリフィル可能なディスペンサーのいずれかと、少なくとも１つのアダプタと、を備えるキットが提供され、アダプタは、リフィル可能でないディスペンサーをリフィル可能なディスペンサーのリフィル機構と封止的におよび流体的に接続できるように、それぞれ構成されている。
【００３０】
別の態様によると、以下を備えるキットが提供される：上記のリフィル可能なディスペンサーのいずれか、粘性組成物のリフィル可能でないディスペンサー、リフィル可能なディスペンサーとリフィル可能でないディスペンサーとは封止的におよび流体的に接続可能である。
【００３１】
リフィル可能でないディスペンサーは、リフィル可能なディスペンサーに流体接続可能である手動ディスペンスポンプを備えることができ、リフィル可能なディスペンサーは、繰り返しポンプを押すことによって充填されることができる。
【００３２】
リフィル可能でないディスペンサーは、リフィル可能なディスペンサーに流体接続可能である手動ディスペンスポンプを備えることができ、リフィル可能なディスペンサーは、繰り返しポンプを押すことによって充填されることができる。
【００３３】
好ましい実施形態では、リフィル可能でないディスペンサーは、リフィル可能なディスペンサーよりも実質的に大きい。リフィル可能なディスペンサーは、典型的に３‐２０ｍＬであり、リフィル可能でないディスペンサーは、典型的に少なくとも１００ｍＬサイズである。
【００３４】
本発明をより良く理解し、その実際の適用を正当に認識するために、以下の図が提供される。同様の部品は、同様の符号で示される。注目すべきは、図は、単に例および好ましい実施形態として提供され、詳細な説明および特許請求の範囲で定められる本発明の範囲を少しも限定しないことである。
【図面の簡単な説明】
【００３５】
【図１】リフィル可能なディスペンサーの前断面図である。
【図２ａ】同じディスペンサーの分解図である。
【図２ｂ】ディスペンサーの断面図が示されている。
【図３】適合するリフィル可能でないディスペンサーと共に別のリフィル可能なディスペンサーを描く。
【図４】別の適合するリフィル可能でないディスペンサーと共に、図３に示されているリフィル可能なディスペンサーを示す。
【発明を実施するための形態】
【００３６】
本発明は、簡単でコンパクトなリフィル可能なクリームディスペンサーを提供し、それは、大きなリフィル可能でないクリームディスペンサーから、典型的に簡単に２つのディスペンサーを一緒に押すことによって、容易にリフィルできる。本発明は、設計の簡潔さの利点および本質的に完全にクリームを空にする能力を有し、それは、望ましくない、異なるクリームの混合、クリームの固化および使用に不適当になること、を防ぐのに役立ち得る。
【００３７】
リフィル可能なディスペンサーは、テストされ、化粧クリームおよびローションなどの液体の分注に有効と考えられるが、香水などの他の液体が使用されてよいことが、強調される。リフィル可能なディスペンサーは、液体が分注されるノズルを有するディスペンス機構を含む。ノズルは、好ましくは交換可能であり、使用者が、選択された液体に適したノズルを、その粘度およびメータアウトされる所望の部分のサイズに応じて、選択できるようになっている。ディスペンサーの他の部分は、様々な液体に適合するように取り替える必要がない。
【００３８】
リフィル機構は、ディスペンサーを再利用できるようにし、ディスペンサーの小型化は、２つの重要なことも可能にする：１）小さいサイズなので家の外で便利に使用するためにディスペンサーをポケット／ハンドバッグ／財布等に入れること、および２）第１の粘性組成物（例えば、クリーム）の少量のサンプルを取り出し、それから第２の粘性組成物の少量のサンプルを取り出すこと、すなわち、使用者は、組成物を簡単に変えることができる。しかしながら、小型化は、物質の浪費ももたらす。比較的多量の物質が、容器の内側に残留付着し、それは、使用には不適当になる、乾燥および固化等するかもしれない。従って、ディスペンサーに、容器の粘性組成物を完全に空にすることができる機構を含むことが、重要である。意外にも、特許文献３に記載されているリフィル可能なディスペンサーと多くの態様で類似しているが、本発明は、所望の場合にディスペンサーからクリームを使い果たすのにより有効であり、設計および製作がより簡単である。
【００３９】
こうして、一態様によると、全てのこれらの問題を解決するよう意図されたリフィル可能なディスペンサーが、提供される。図１に関し、ディスペンサー１００は、
外壁１１１を有するボトル１１０；
ボトル１１０内のガスケット１２０；
ボトル１１０内で上側キャビティ１１２および下側キャビティ１１４を定めるガスケット１２０、ガスケット１２０は、前記の下側キャビティ１１４から前記の上側キャビティ１１２を実質的にシールするように構成されている；
粘性組成物ディスペンス機構１３０であって、ディスペンス機構１３０が作動するときに、粘性組成物が前記の下側キャビティ１１４からボトル１１０の外側に分注されることができるように構成されている、粘性組成物ディスペンス機構１３０；
前記のガスケット１２０は、ディスペンス機構１３０が作動すると下側キャビティ１１４の方へ動くことができる、および前記の下側キャビティ１１４へ粘性組成物が入ることだけによって上側キャビティの方へ動くことができる；
粘性組成物リフィル機構１４０であって、前記のリフィル機構が粘性組成物源に流体接続されたときに、粘性組成物が前記の下側キャビティ１１４に入ることができるように構成されている、粘性組成物リフィル機構１４０、
を備える。
【００４０】
ディスペンス機構１３０が作動するとき、クリームなどのある粘性物質７は、ディスペンス機構１３０からボトル１１１の外側に押し出される。ある実施形態では、ディスペンス機構１３０から押し出された物質は、同じ作動からディスペンス機構１３０によって引き込まれるより多くの物質に取って代わられる。物質７が下側キャビティ１１４から取り出されるにつれて、ガスケット１２０は下がることができ、こうして下側キャビティ１１４の圧力を維持して（より小さい）キャビティ１１４をクリームで満たされた状態に保つ。
【００４１】
通気口１５０がボトルに設けられ、それは空気が上側キャビティ１１２に入ることができるようにし、こうして分注中におよび分注の後に上側キャビティ１１２にサブ圧力が作り出されるのを防ぐ。リフィル機構１４０が作動するとき、物質７は、下側キャビティ１１４に入り、ガスケット１２０を上方に押す、すなわち、下側キャビティ１１４は拡大し、上側キャビティ１１２は縮小し、通気口１５０を介して空気を放出する。
【００４２】
図１に示されている実施形態では、通気口は、通気口１５０を通る空気の通路を示す矢印で示されているように、本体１１１とディスペンス機構１３０との間の間隙によって形成される。
【００４３】
他の実施形態（図示せず）では、通気口は、外壁にある孔である。
【００４４】
他の実施形態は、代替排気／圧力保持手段を有する。
【００４５】
ある実施形態では、通気口（図示せず）があり、それは、リフィル中にうっかり下側キャビティに導入された空気を排出できるようにする。しかしながら、そのような通気口は、下側キャビティからボトルの外側に通じる管を好ましくは含まないことが強調される。この管は、クリームなどの粘性物質によって詰まるからである。
【００４６】
ディスペンス機構１３０は、ポンプ１３２を備えてよい。ポンプ１３２が作動するときに、例えばある実施形態で下に押されて、こうして粘性物質を含んでいるポンプの内側の空間に圧力をかけて、ポンプ１３２は、粘性物質を押し出す。ポンプ１３２がリリースされるときに、粘性物質は、下側キャビティ１１４からポンプ１３２に引き上げられる。
【００４７】
ある実施形態では、ポンプは、空気が上側キャビティに入ることができないように構成される。他の実施形態では、空気は、上側キャビティに入ることができるが、ポンプの作動で送り出される。
【００４８】
ディスペンサー１００は、フォームディスペンサーであってよい。フォームディスペンサーを有する実施形態では、ディスペンサーは、デュアルかそれ以上のポンプを備えてよく、それは、使用されるときに小さい開口を通じて空気と粘性組成物の両方を移動させて泡（例えばシェービングクリーム）を作り出す。ある実施形態では、空気は、ボトル１１１の外側からポンプに導入される。
【００４９】
ある実施形態では、ディスペンサーは、自動であり、時間起動などの信号によって作動する。
【００５０】
ディスペンサー１００は、ディスペンス機構を覆うキャップ１０３をさらに備える。
【００５１】
図１および２に示されているディスペンス機構１３０は、管１０４を含むと定められる。従って、ディスペンス機構１３０は、ボトル１１１の外側から上側キャビティ１１２およびガスケット１２０を通って下側キャビティ１１４に延び、組成物７が、ボトル１１１の底部から都合よく提供されることができるようになっている。ガスケット１２０は、管１０４上におよびボトル１１０に封止的にスリーブされる。ある実施形態では、管は、壁の近位または壁とぴったり重なるあるいは壁の一部であってよい、その場合、ガスケットは、保持されないかもしれないが、それは、やはり下側キャビティから上側キャビティを効果的にシールすることができる。
【００５２】
リフィル機構１４０は、フロア１１５によって下側キャビティ１１４から切り離されたリフィルチャンバ１６０の内側に位置し、フロア１１５に、リフィルチャンバ１６０と下側キャビティ１１４との間の流体連通を可能にするチャンバ孔１６２がある。図１は、リフィル機構１４０が休止位置のディスペンサー１００を描き、その場合チャンバ孔１６２はブロックされる。
【００５３】
リフィル機構１４０は、入口孔１４３ａおよび出口孔１４３ｂを有する中空ピストン１４２を含む。クリームなどの流体は、入口孔１４３ａに導入されてよく、それは、ピストン１４２を通って出口孔１４３ｂに移動する。第１シールリング１４４は、リフィル機構１４０が休止位置にあるときに、出口孔１４３ｂをブロックする。ピストン１４２が押されるとき、出口孔１４３ｂは、第１シールリング１４４が出口孔をもはやブロックせずに流体がチャンバ孔１６２を自由に出て下側キャビティ１１４に入る位置に、移動する。
【００５４】
ここで留意すべきは、描かれている実施形態１００では、ピストン１４２は、延びるときに、下側キャビティ１１４に、および管１０４に、延びてよいことである。しかしながら、他の実施形態（図示せず）では、ピストンの延在は、より小さいチャンバ孔によって限定され、それによって、ピストンが下側キャビティに延びるのを防ぐ。チャンバ孔がリフィルチャンバから下側キャビティへの流体の流れを妨げるかもしれないが、管１０４へのピストン１４２の延在も、下側キャビティ１１４への流体の流れを妨げるかもしれない。他の実施形態では、管は、そのように管にピストンが入るのを防ぐように十分に薄くされることができ、その設定も、特にクリームなどの粘性流体の、流体の流れを妨げるかもしれない。他の実施形態では、管は、ピストンが管に達しないように十分に短くすることができる。しかしながら、流体は、管より下で分注されることができず、かなりの量の流体が、使用されないままであり、停滞して使用には不適当になるかもしれない。
【００５５】
従って、図１に示されているように、管１０４は、好ましくは、フロア１１５に極めて近接した距離まで、好ましくは０．１‐０．５ｍｍ、より好ましくは０．１‐０．３ｍｍ延びる。ある実施形態（図示せず）では、リフィル機構は、好ましくは十分に小型であり、完全に延びたときにもピストンがリフィルチャンバの内側に完全に本質的にとどまり、より好ましくは下側キャビティに少しも延びないようになっている。そのような実施形態では、リフィル機構が用いられるときに、流体は、第１シールリングの上のリフィルチャンバに入り、それからチャンバ孔を介して下側キャビティに入る。小型化は、ピストンが、延びるときに管に近づき過ぎるのを防ぐのに役立ち得る。
【００５６】
好ましくは、管は、フロア１１５から０．１‐０．３ｍｍまで延び、リフィル機構１４０は小型である。７‐８ｍＬのボトルを含むそのような実施形態は、製造され、非常に良く動作し、余すところのない分注の後に典型的に５００μＬ未満の残留物を残すことが、分かっている。
【００５７】
意外にも、本発明のディスペンサーは、管が曲がっているときにも、またはボトルの長手方向軸Ａに厳密に平行でないときにも、またはチャンバ孔と整列したときにも、良好に動作し、その一方で、特許文献３に記載されているディスペンサーが使用されるとき、パフォーマンスは、良く整列した管により依存するようである。クリームなどの粘性液体を本発明のディスペンサーに導入することが、幾分かより簡単になるだろう。クリームは、ディスペンサーの動作のこの部分のための管を通る必要がないからである。この特徴は、ディスペンサーを使用するのをより簡単にし、リフィル機構の小型化を可能にするのに役立ち、それは今度は、ディスペンサーを、物質が適切に使い尽くされるのを可能にするのに、役立つ。
【００５８】
別の態様は、ディスペンス機構１３０が、できる限り短いディスペンスポンプ１３２を有するべきであり、上側キャビティ１１２に向かって上方へのガスケット１２０の最大延在を可能にし、それによって、流体でのボトル１１０の最大充填も可能にする。実際、我々は、上側キャビティに１ｍｍ未満延びるディスペンスポンプを有するディスペンサーを作ることに成功した。
【００５９】
図２ａに分解図でおよび図２ｂに断面図（左図は空で右図は満杯である）で示されているように、別のリフィル可能なディスペンサー２００は、ボトル２１１と係合可能であって、流体が下側キャビティ２１４に入る孔２６２を含む、ハウジング２４８、ハウジング２４８の内側に係合してリフィル機構２４０を収容するエンドキャップ２１９、を備え、そのリフィル機構は、第１シールリング２４４、位置決めリング２４９、中空ピストン２４２、および第２シールリング２６３を含む。穴開きボトムインナーシェル２１７（図１の実施形態１００には存在しない）は、ハウジング２４８にスナップオンする。穴開きボトムアウターシェル２１８は、ボトル２１１と係合し、ボトル２１１の形状の美的連続性を作り出す。
【００６０】
位置決めリング２４９は、ピストン２４２をリフィルチャンバ２６０で正しい位置に保つのに役立つ。
【００６１】
ディスペンス機構２３０は、管２０４、ポンプ２３２、ポンプ２３２がボトル２１１と係合するのに役立つカラー嵌合部２３４、カラー嵌合部２３４にぴったり合う装飾的アウターカラー２３６、およびポンプ２３２に接続されるアクチュエータ２３８、を含む。トップカバー２０３は、アクチュエータ２３８を覆う。上記で説明したように、ディスペンス機構のポンプ２３２は、好ましくはコンパクトであり、図２ｂに示されているように、上側キャビティ１１２に最小限に延びる。
【００６２】
ディスペンサーが、非常に様々な粘度の異なる流体に、または様々な量の分注される流体に使用されるときに、分注を調整する最も簡単な方法は、アクチュエータ２３８を交換することである。本発明の一態様によると、一連のアクチュエータ２３８が提供され、それぞれ異なるサイズのノズル２３９を含む。代替的にまたは追加的に、より大きなポンプを、より多くの量を分注するのに使用することができる。しかしながら、ポンプを交換するのは、一般により難しく費用がかかる。
【００６３】
図３および４は、リフィル可能でないディスペンサー４００，４００’によるリフィル可能なディスペンサー３００の充填を概略的に示す。図３に示されているディスペンサー４００のディスペンス機構４０９は、ポンプ作用によって作動し、一方、図４に示されているディスペンサー４００’のディスペンス機構４０９’は、リフィル可能なディスペンサー３００とリフィル可能でないディスペンサー４００’とを互いの方へ押すことによって作動する。粘性組成物を含んでいるボトル４１１は、加圧され得る。
【００６４】
ある実施形態では、リフィル機構は、チェックバルブを備える。
【００６５】
ある実施形態では、ディスペンス機構は、チェックバルブを備える（バルブを介して下側キャビティへ空気が入るのを防ぐのに役立つように）。
【００６６】
ある実施形態では、リフィル機構もディスペンス機構も、それぞれチェックバルブを備える。
【００６７】
図３および４に示されている実施形態３００のリフィル機構は、ビード３４１と、ビード３４１をリフィルチャンバ３６０の開口３６１の方へ付勢するばね３４５と、を備える。リフィル不可能なディスペンサー４００のステム４１５が、チャンバ３６０のレッジ３４６に対して押されるときに、孔３４７を有するレッジ、リフィル可能でないディスペンサー４００からの流体は、ビード３４１を下側キャビティ３１４の方へ押す。チャンバ３６０はその壁に溝を有してよい（図示せず）、または、ビードは溝を有してよく（図示せず）、例えば、流体がビードを迂回して下側キャビティに入ることができる。
【００６８】
他のリフィル機構が使用されてよく、それは、流体が、リフィル機構を直接押すステムによって、またはリフィル機構を押す流体によって、リフィル可能なディスペンサーに入ることができるようにする。
【００６９】
図３に示されているリフィル可能でないディスペンサー４００は、その中に貯蔵した流体を、示されているようにリフィル可能なボトル３１１に対してリフィル可能でないディスペンサー４００のステム４１５を上下運動させることによって、送出するように作動し、その一方、図４に描かれているリフィル可能でないディスペンサー４００’は、流体をリフィル機構３４０へ手動で注入できるシリンジ型のディスペンサーである。
【００７０】
上側キャビティ２１２は、ルーフ２０５を備える。このディスペンサーの実施形態２００では、ディスペンサーの連続リフィルは、最終的にガスケット２２０がルーフ２０５に接触できるようにし、こうして充填するにおいても空にするにおいてもボトル２１０の完全利用を可能にする。
【００７１】
市販のディスペンサーは、多分それらのディスペンス機構を取り外すことによってリフィルできるが、実際的にはそのようなリフィルは、時間がかかって困難であり、従ってそれらは本質的にリフィル可能でない。さらに、典型的に２５０ｍＬ以上であるそれらのサイズは、典型的に１００ｍＬ未満サイズであるリフィル可能なディスペンサーよりも実質的に大きく、より大きなディスペンサーをリフィルする動機がほとんどないようになっている。
【００７２】
多くの市販のディスペンサーは、ディスペンスヘッド（図示せず）を有し、それは、リフィル可能でないディスペンサー４００のディスペンス機構４０９をさらすために取り外されることができ、さらされた機構４０９は、その後リフィル機構と簡単に結合することができる。そのような取り外しは、ディスペンス機構４０９のステム４１５（図３参照）などの構造を典型的にさらす。多くの市販のディスペンサーは、ねじ蓋付きの容器を有する。
【００７３】
別の態様によると、上記の種類のリフィル可能なディスペンサーを備えるキット、少なくとも１つのアダプタが提供され、アダプタは、粘性組成物のリフィル可能でないディスペンサーをリフィル可能なディスペンサーの充填機構と封止的におよび流体的に接続できるように、それぞれ構成されている。それぞれのアダプタは、リフィル可能でないディスペンサーのディスペンス機構の特定の構造に適する。従って、一連のアダプタは、第１のリフィル可能なディスペンサーを様々な市販のリフィル可能でないディスペンサーと結合する働きをすることができる。
【００７４】
アダプタは、同じまたは異なるサイズの端部を有する管を備えてよい。典型的に、一端は、リフィル可能なディスペンサーのリフィル機構に緊密に適合し、他端は、リフィル可能でないディスペンサーのディスペンス機構のステムに緊密に適合し、リフィル可能でないディスペンサーからリフィル可能なものへの粘性組成物の移動の封止接続を作る。代替的に、アダプタは、ディスペンス機構自体であってよく、それは、リフィル可能でないディスペンサーの元のディスペンス機構に取って代わる。例えば、これらのリフィル可能でないディスペンサーのディスペンス機構は、取り外されてよく、適切な構造の別のディスペンス機構が、リフィル可能なディスペンサーとのリフィル可能でないディスペンサーの連通のためにねじ蓋にねじ式に取り付けられてよい。そのような機構は、例えばポンプ（図示せず）およびステム４１５を含んでよく、ステム４１５は、リフィルチャンバ２６０にある開口２６１の内側にきっちり適合する。
【００７５】
他の実施形態では、リフィル可能でないディスペンサーは、ディスペンス機構が全くない単なる容器であり、例えば、頂部にねじ山および適合するねじ山が付いた蓋を含むクリーム用の瓶であり、アダプタが、蓋がない瓶にその後結合される。しかしながら、そのような実施形態では、リフィルする力が、リフィルディスペンサーのリフィル機構によって提供されなければならない。好ましい実施形態では、リフィル可能でないディスペンサーは、リフィル可能なディスペンサーに流体接続可能である手動ディスペンスポンプを備え、リフィル可能なディスペンサーは、繰り返しポンプを押すことによって充填されることができる。繰り返される押圧によって、適度な力でリフィル可能でないディスペンサーのディスペンス機構から少量の流体を分注することができ、それによって、過剰充填およびリフィルディスペンサーの小さいリフィル機構への損傷を防ぐのに役立つ。
【００７６】
好ましい実施形態では、リフィル可能なボトルのリフィル機構は、少なくとも１つの第２シールリングをさらに備え、図１および２に示されているように、チェックバルブ（図１および２ではピストン１４２および圧縮ばね１４５）の下のリフィルチャンバ１６０にあるリング１６３は、シールされた接続を提供する。
【００７７】
別の態様によると、リフィル可能なディスペンサーおよびリフィル可能でないディスペンサーを備えるキットが、提供される。この実施形態のリフィル可能でないディスペンサーの特色は、リフィル可能なディスペンサーおよびリフィル可能でないディスペンサーが、好ましくはアダプタを必要とせずに、リフィル可能でないディスペンサーをリフィル機構と封止的に接続できるように構成されることである。そのようなリフィル可能でないディスペンサーは、市販のディスペンサーであってよく、リフィル可能なディスペンサーは、リフィル機構の寸法でリフィル可能でないディスペンサーのディスペンス機構に特別に適合するが、多分より典型的にリフィル可能でないディスペンサーは、リフィル可能なディスペンサーと簡単におよびぴったりと適合するように特別に設計もされる。
【００７８】
典型的に、リフィル可能でないディスペンサーは、エコノミーサイズであり、財布、ポケット等の中で運ぶには大きすぎる。リフィル可能でないディスペンサーは、物質の浪費をさらに最小限にする。
【００７９】
特筆すべきは、リフィル可能でないディスペンサーは、家庭で使用するのに好適であるが、リフィル可能なディスペンサーは、飛行機での使用に好適であることである。現在のところ、粘性組成物の非常に小さい容器だけが、客室で飛行機輸送できるからである。
【００８０】
ある実施形態は、少なくとも下側キャビティが、本質的に物質がなく、より多くの物質を受け入れる状態にあるときに、下側キャビティにサブ圧力を有するように操作されてよい。これは、下側キャビティの底部までずっと移動できないガスケットを有することによって達成でき、こうして、分注が終了した後に空間が残されることができ、その中でサブ圧力が作り出されることができる。
【００８１】
一実施形態によると、分注方法は、製品での下側キャビティの最初の充填に先立って、下側キャビティの気密性が強化される貯蔵位置でのボトルへの取り出し装置の搭載を提供し、前記の取り出し装置は、続いて分注位置に移動する。これは、分注位置では、負圧を有する下側キャビティの静的気密性が、特に通気孔の存在下で、長期貯蔵の終わりにこの負圧の維持を保証するのに不十分であり得るからである。
【００８２】
加えて、さらに経時的に負圧の維持を向上させるために、リフィル機構は、封止キャップ（図示せず）で可逆的に覆われてよい。キャップは、前記のキャップがリフィル機構を完全に覆うように、トリム（図示せず）の自由端に形成された凹部で結合でき、自由端を有する前記のキャップが、最初の充填を目的として取り下げられることができるようにしている。
【００８３】
サブ圧力は、ディスペンサーをリフィルするのを容易にし得る。そのような実施形態は、物質が過度に粘性のあるときでないときに、より有用であり、例えば様々なローションなどである。リフィルの直前にローションを振ること（それによって場合によっては粘度を減少させる）は、そのような場合にリフィルを容易にし得る。
【００８４】
あるクリームおよびローションおよびコロイドは、固体の分離が適用される製品として好ましくないように、沈殿、凝集等を経るかもしれず、ある実施形態ではディスペンサーの動作を妨げるかもしれず、その場合、分注の直前にディスペンサーを振ることは、有利であり得る。そのような場合、過剰に振ることは、無分別であり得る。粘性物質の粘度を過度に減少させ得るからである。ある実験が、物質の品質の点でも、ディスペンサーのより満足できる動作の点でも、最も望ましい結果をもたらすため必要であるかもしれない。ある実施形態は、特定の種類の粘性物質により適し得る。
【００８５】
上記の例は、リフィル可能なクリームディスペンサーの様々な選択された実施形態を、提示する。なお、さらなる実施形態が予想され、それも本発明の範囲に含まれる。本発明の範囲は、請求項によって定められ、上記の様々な特徴の結合および副結合の両方、同様にその変形および変更も含み、それは、前述の説明を読むことによって当業者が思い付くだろう。
【図１】
2017515758.tif 000003
【図２ａ】
2017515758.tif 000004
【図２ｂ】
2017515758.tif 000005
【図３】
2017515758.tif 000006
【図４】
2017515758.tif 000007
【国際調査報告】
2017515758.tif 000008
2017515758.tif 000009